(57)【要約】      （修正有）【課題】着信時において、着信前の携帯電話器の形状を変化させ、保持してなる変化具を設けてなる携帯電話器。【解決手段】主に携帯電話器をポケット等に入れて使用する場合、いちいちポケットから携帯電話を出すことなく、外側から携帯電話を手で触ることにより、携帯電話の形状の変化を確認でき、よって、着信を確認できる携帯電話器を提供する。【選択図】図１
0003130361.tif 000002
【実用新案登録請求の範囲】
【請求項１】
着信時において、着信前の携帯電話器を変化させ、保持してなることを特徴とする携帯電話器。
【請求項２】
着信時において、着信前の携帯電話の形状を変化させ、保持してなる変化具を設けてなることを特徴とする請求項１記載の携帯電話器。
【請求項３】
着信時において、着信前の携帯電話の一部の色を変化させ、保持してなる変化具を設けてなることを特徴とする請求項１又は２記載の携帯電話器。
【請求項４】
変化具が携帯電話器の外周面より、適宜突出してなる突出体であることを特徴とする請求項１、２又は３記載の携帯電話器。
【請求項５】
変化具が作動することにより、折り畳み式携帯電話器を適宜開いてなることを特徴とする請求項１、２又は４記載の携帯電話器。
【考案の詳細な説明】
【技術分野】
【０００１】  本考案は、主に携帯電話器を触ることにより着信を確認できる携帯電話器に関するものである。
【背景技術】
【０００２】  従来の技術として、携帯電話機に取り付けて用いられる携帯電話機用ストラップであって、前記ストラップが、前記携帯電話機に取り付けるための紐状部材からなる第一の紐部と、前記第一の紐部に接続されている可動体とからなり、前記可動体が、駆動部と、前記駆動部により駆動される可動部と、前記携帯電話機の通話時に発生する電磁波を感知するセンサー部と、前記センサー部が電磁波を感知した時に発生する感知信号を受けて前記駆動部を制御するための制御部と、を備えた携帯電話機用ストラップがある。（特許文献１参照）【０００３】  また、他の従来技術として、上下両端を開口させたボデイケースの左右両側部に手を取り付け、該ボデイケース内に、モータの回転力を減速ギヤ機構を介して主軸に伝えるようにしてあるギヤボックスを収納すると共に、該ギヤボックスの左右両外側部に、下端に足を有する脚プレートを下方から挿入配置して、ギヤボックスに上下動できるように係合させ、上記ギヤボックスの左右両側部より外方へ突出させた主軸の両端部と左右の脚プレートの所要個所とを、左右で１８０°位相をずらした偏心機構を介し連結して、主軸の回転により左右の脚プレートが揺動運動をして足が交互に前後方向へ動くことができるようにし、且つ上記ギヤボックス上に、下端を開口させたヘッドケースを首振り可能に支持させて、上記左右の脚プレートの上下動時にヘッドケースが首振りさせられるようにし、更に、電波を着信して上記モータへ駆動指令を与える制御基板を備えてなることを特徴とする携帯電話機用着信報知装置がある。（特許文献２参照）
【特許文献１】  特開２０００−２３６３７１号公報
【特許文献２】  実用新案登録第３０６９３９０号公報
【考案の開示】
【考案が解決しようとする課題】
【０００４】  上記前者においては、ストラップであって、別体のものであり、また、人形の手足が動くレベルでは体感として着信が伝わらない可能性がある。【０００５】  また、上記後者においては、ロボット形状に構成してなるもので、これもまた、別体のものであり、ポケットの中に入れて持ち歩くにはかさばり、別電源を必要とするため、電源が切れたら使用できなくなる。【０００６】  なお、現有の携帯電話器は、周知のとおり、バイブレーターにて知らせている（テーブル等の上に置いた場合、周囲に聞こえる）が、体感できないケースが多くあり、特にポケット内に入れている時、いちいち取り出して着信を確認しなければならず、周囲に迷惑をかけず確実に分かるものが望まれていた。【０００７】  本考案は、上記のような従来の構成が有する問題点を解決しようとするもので、その目的は、主に携帯電話器をポケット等に入れて使用する場合、いちいちポケットから携帯電話を出すことなく、外側から携帯電話を手で触ることにより、携帯電話の形状の変化を確認でき、よって、着信を確認できる携帯電話器を提供するものである。
【課題を解決するための手段】
【０００８】  本考案は、上記目的を達成するために、着信時において、着信前の携帯電話器を変化させ、保持してなる。
また、着信時において、着信前の携帯電話の形状を変化させ、保持してなる変化具を設けてなる。
さらに、着信時において、着信前の携帯電話の一部の色を変化させ、保持してなる変化具を設けてなる。
そして、変化具が携帯電話器の外周面より、適宜突出してなる突出体である。
さらにまた、変化具が作動することにより、折り畳み式携帯電話器を適宜開いてなることを特徴とする。
【考案の効果】
【０００９】１）、着信時において、着信前の携帯電話器の形状を変化させ、保持してなる変化具を設けてなることにより、特に、ポケット内に携帯電話を入れて使用している場合、ポケットの内側から携帯電話を触るだけで、着信の有無が確認できいちいちポケットから出すことなく確認できる。
２）、変化具を、突出体にすることにより、突出体の出入りを手の指先で触ることにより簡単・確実に着信の有無を確認できる。よって、まわりの目を気にせずに確認できる。
３）、折り畳み式携帯電話器を着信時において、適宜開いて保持することにより、ポケット内はもちろんのこと、テーブル等に置いた状態においても見ることにより確認できる。特に、少し席を空け、戻ったときなどに一目で確認できる。
４）、携帯電話の一部の色を変化させ、保持してなる変化具により、テーブル等の上に置き、少し席を空けて戻ったとき、一目で確認できる物で、特に離れた場所（見える範囲）でも確認できる。
【考案の実施するための最良の形態】
【００１０】  １は、携帯電話器である。
２は、携帯電話器本体１ａの下部側面より突出する変化具で、例えばソレノイド（電磁石により軸が出入りするもの）２ａの先端に、突出体２ｂを設けてなるものである。（図１・図２）
【００１１】  上記携帯電話器１の使用例について述べる。
例えば、ズボン（図示せず）のポケット（図示せず）内に携帯電話器１を入れて使用する時、着信時においてソレノイド２ａが作動し、突出体２ｂが携帯電話器本体１ａの外周面（側面）より突出し、保持する。
この状態で、ポケットの上方より、携帯電話器１（携帯電話器本体１ａ）の側面を触ることにより突出体２ｂが突出していれば着信ありと確認でき、ポケットより携帯電話器１を取り出し、電話する。（電話するあるいは携帯電話器を操作することにより、突出体２ｂは引き込まれ、元の位置に戻るものとする。）
なお、突出体２ｂが突出していなければ、着信がないものであり、ポケットから出して確認する必要がない。（図３）
【００１２】  つぎに、他の実施例を説明する。
携帯電話器２１の変化具２２は、バイブレーターＢの先端の振動により作動するもので、磁石２２ａと鉄製の突出体２２ｂを圧縮スプリング２２ｃにて連結してなるものである。（図４）
【００１３】  この携帯電話器２１は、着信時、バイブレーターＢが作動し、その振動が磁石に伝わり、突出体２２ｂが離脱し、圧縮スプリング２２ｃにて突出する。（図５）
なお、確認後は手動にて突出体２２ｂを押し戻すことにより、圧縮スプリング２２ｃが押圧され突出体２２ｂと磁石２２ａが固着してなる。
【００１４】  携帯電話器３１は、携帯電話器本体３１ａの上部に例えばソレノイド３２ａにより突出体３２ｂを突出させる変化具３２を設けてなるもので、着信時においてソレノイド３２ａが作動し、突出体３２ｂを突出させることによりディスプレイ３１ｂを適宜押し上げて携帯電話器３１を開き、保持するものである。（図６・図７）
【００１５】  この携帯電話器３１も、ポケット内にて外から触って着信を確認できると共に、テーブル（図示せず）上に置いて使用したとき、その場から移動し、戻ったときにおいて見るだけで着信の有無を確認できるものである。
なお、ディスプレイ３１ｂを開き、閉じるときに突出体３２ｂを押圧し、内設されるものである。
【００１６】  携帯電話器４１は、ディスプレイ４１ｂの上面に凸レンズ４２ｃを設け、その下方にソレノイド４２ａにより色付（例えば青・赤等）の円盤状の突出体４２ｂを突出させる変化具４２を設けてなるもので、着信時において、ソレノイド４２ａが作動し、突出体４２ｂを突出することにより、凸レンズ４２ｃからその色（例えば青・赤等）が見えるもので、上からも横からも凸レンズ４２ｃの拡散作用により、色を確認することができるものである。
【００１７】  上記の各実施例において、作動方法は特に限定するものではなく、同様な機能を有するものであれば良い。
また、変化具の取付位置においても、特に限定するものではない。
さらに、突出体が突出保持させるとき、電力を消費しないように設計することが望ましい。
【図面の簡単な説明】
【００１８】
【図１】  本考案の第１実施例を示す携帯電話器の一部破断側面図。
【図２】  本考案の第１実施例を示す携帯電話器の正面図。
【図３】  本考案の第１実施例を示す携帯電話器の作動状態の要部破断側面図。
【図４】  本考案の第２実施例を示す携帯電話器の一部破断側面図。
【図５】  本考案の第２実施例を示す携帯電話器の作動状態の要部破断側面図。
【図６】  本考案の第３実施例を示す携帯電話器の正面図。
【図７】  本考案の第３実施例を示す携帯電話器の作動状態の要部破断正面図。
【図８】  本考案の第４実施例を示す携帯電話器の正面図。
【図９】  本考案の第４実施例を示す携帯電話器の要部破断正面図。
【符号の説明】
【００１９】１−−−携帯電話器
１ａ−−本体
２−−−変化具
２ａ−−ソレノイド
２ｂ−−突出体
２２ａ−磁石
２２ｃ−圧縮スプリング
３１ｂ−ディスプレイ
４２ａ−ソレノイド
４２ｃ−凸レンズ
Ｂ−−−バイブレーター
【図１】
0003130361.tif 000003
【図２】
0003130361.tif 000004
【図３】
0003130361.tif 000005
【図４】
0003130361.tif 000006
【図５】
0003130361.tif 000007
【図６】
0003130361.tif 000008
【図７】
0003130361.tif 000009
【図８】
0003130361.tif 000010
【図９】
0003130361.tif 000011
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
着信時において、着信前の携帯電話の形状を変化させ、保持してなる変化具を設けてなることを特徴とする携帯電話器。
【請求項２】
着信時において、着信前の携帯電話の一部の色を変化させ、保持してなる変化具を設けてなることを特徴とする請求項１記載の携帯電話器。
【請求項３】
変化具が携帯電話器の外周面より、適宜突出してなる突出体であることを特徴とする請求項１又は２記載の携帯電話器。
【請求項４】
変化具が作動することにより、折り畳み式携帯電話器を適宜開いてなることを特徴とする請求項１、２又は３記載の携帯電話器。
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
着信時において、着信前の携帯電話の形状を変化させ、保持してなる変化具を設けてなることを特徴とする携帯電話器。
【請求項２】
着信時において、着信前の携帯電話の一部の色を変化させ、保持してなる変化具を設けてなることを特徴とする請求項１記載の携帯電話器。
【請求項３】
変化具が携帯電話器の外周面より、適宜突出してなる突出体であることを特徴とする請求項１又は２記載の携帯電話器。
【請求項４】
変化具が作動し、突出体が突出することにより、折り畳み式携帯電話器を適宜開いてなることを特徴とする請求項１、２又は３記載の携帯電話器。